【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
リクエストを生成するように構成されている機器と、
一つ以上のデータベースを管理するデータベース管理システム（ＤＢＭＳ）を動作するように構成されているコンピューターシステムであって、該コンピューターシステムは、該リクエストを受け取るように該機器に結合され、該ＤＢＭＳは、一つ以上のデータベースのうちの少なくとも一つのデータベースにおいて該リクエストを処理するように構成され、該コンピューターシステムは、第１のフォーマットで該リクエストの結果を該機器に返すように構成されている、コンピューターシステムと
を備える装置であって、
該機器は、該リクエストに対応するリクエスト者への返信のために該結果を第２のフォーマットに変換するように構成されている、装置。
【請求項２】
前記第２フォーマットがマークアップ言語によって表現されている、請求項１に記載の装置。
【請求項３】
前記第２フォーマットが前記機器によってサポートされているデフォルトフォーマットを備える、請求項２に記載の装置。
【請求項４】
前記結果が一つのコラムに含まれている主キーを含む場合、前記デフォルトフォーマットが、
前記主キーを含む要素と、
該要素の一つ以上の属性であって、該属性のそれぞれが、前記結果の１つの他のコラムを含む、要素の一つ以上属性と
を備える、請求項３に記載の装置。
【請求項５】
前記結果が１より多いコラムを含む主キーを含む場合、前記デフォルトフォーマットは、属性として前記結果の主キーでは無いそれぞれのコラムを有する第１の要素を備える、請求項３に記載の装置。
【請求項６】
前記デフォルトフォーマットが複数の第２の要素をさらに含み、該複数の第２の要素のそれぞれが前記主キーの前記コラムの一つを含み、該複数の第２の要素のそれぞれが前記第１の要素の子供である、請求項５に記載の装置。
【請求項７】
前記機器が、前記第２のフォーマットを定義する一つ以上のスタイルシートを受け取るように結合されている、請求項２に記載の装置。
【請求項８】
前記機器が前記リクエスト者から第２のリクエストを受け取るように結合され、該機器が前記第２のリクエストに応答して前記コンピューターシステムへの前記リクエストを生成するように構成されている、請求項１に記載の装置。
【請求項９】
前記第２のリクエストが、前記一つ以上のデータベースに適合された一つ以上の式を含む一つ以上のスタイルシートを備える、請求項８に記載の装置。
【請求項１０】
前記一つ以上のデータベースの少なくとも一部のコンテンツは一つ以上のマークアップ言語オブジェクトを含み、前記結果が少なくとも一つのマークアップ言語オブジェクトを含む、請求項１に記載の装置。
【請求項１１】
前記第２のフォーマットが前記ＤＢＭＳによってサポートされているフォーマットを備える、請求項１０に記載の装置。
【請求項１２】
一つ以上のデータベースを管理するデータベース管理システム（ＤＢＭＳ）を動作するように構成されているコンピューターシステムを含む装置内において、該コンピューターシステムへのリクエストを生成するように構成され、該コンピューターシステムから該リクエストの結果を受け取るように結合された機器であって、
該結果が第１のフォーマットであり、該機器が、該リクエストに対応するリクエスト者への返信のために該結果を第２のフォーマットに変換するように構成されている、機器。
【請求項１３】
前記第２のフォーマットがマークアップ言語によって表現されている、請求項１２に記載の機器。
【請求項１４】
前記第２のフォーマットが、前記機器によってサポートされているデフォルトフォーマットを備える、請求項１３に記載の機器。
【請求項１５】
前記結果が一つのコラムに含まれている主キーを含む場合、前記デフォルトフォーマットが、
前記主キーを含む要素と、
該要素の一つ以上の属性であって、該一つ以上の属性のそれぞれが、前記結果の１つの他のコラムを含む、要素の一つ以上属性と
を備える、請求項１４に記載の機器。
【請求項１６】
前記結果が一つ以上のコラムを含む主キーを含む場合、前記デフォルトフォーマットは、属性として前記結果の主キーでは無いそれぞれのコラムを有する第１の要素を備える、請求項１４に記載の機器。
【請求項１７】
前記デフォルトフォーマットが複数の第２の要素をさらに含み、該複数の第２の要素のそれぞれが前記主キーの前記コラムの一つを含み、該複数の第２の要素のそれぞれが前記第１の要素の子供である、請求項１６に記載の機器。
【請求項１８】
前記機器が前記第２のフォーマットを定義する一つ以上のスタイルシートを受け取るように結合されている、請求項１３に記載の機器。
【請求項１９】
前記機器が前記リクエスト者から第２のリクエストを受け取るように結合され、前記機器が前記第２のリクエストに応答して前記コンピューターシステムへの前記リクエストを生成するように構成されている、請求項１２に記載の機器。
【請求項２０】
前記第２のリクエストが、前記一つ以上のデータベースに適合された一つ以上の式を含む一つ以上のスタイルシートを備える、請求項１９に記載の機器。
【請求項２１】
前記一つ以上のデータベースの少なくとも一部のコンテンツは、一つ以上のマークアップ言語オブジェクトを含み、前記結果が少なくとも一つのマークアップ言語オブジェクトを含む、請求項１２に記載の機器。
【請求項２２】
前記第２のフォーマットが前記ＤＢＭＳによってサポートされているフォーマットを備える、請求項２１に記載の装置。
【請求項２３】
機器が、データベース管理システム（ＤＢＭＳ）にリクエストを送ることと、
該機器が、第１のフォーマットにて該ＤＢＭＳから結果を受け取ることと、
該機器が、該リクエストに対応するリクエスト者への伝送のために該結果を第２のフォーマットに変換することと
を包含する、方法。
【請求項２４】
前記第２のフォーマットがマークアップ言語によって表現されている、請求項２３に記載の方法。
【請求項２５】
前記第２のフォーマットが前記機器によってサポートされているデフォルトフォーマットを包含する、請求項２４に記載の方法。
【請求項２６】
前記結果が一つのコラムに含まれている主キーを含む場合、前記デフォルトフォーマットが、
前記主キーを含む要素と、
該要素の一つ以上の属性であって、該一つ以上の属性のそれぞれが、前記結果の１つの他のコラムを含む、要素の一つ以上属性と
備える、請求項２５に記載の方法。
【請求項２７】
前記結果が一つよりも多くのコラムを含む主キーを含む場合、前記デフォルトフォーマットは、属性として前記結果の主キーでは無いそれぞれのコラムを有する第１の要素を備える、請求項２５に記載の方法。
【請求項２８】
前記デフォルトフォーマットが複数の第２の要素をさらに含み、該複数の第２の要素のそれぞれが前記主キーの前記コラムの一つを含み、該複数の第２の要素のそれぞれが前記第１の要素の子供である、請求項２７に記載の方法。
【請求項２９】
前記機器に提供される一つ以上のスタイルシートにおける前記第２のフォーマットを定義することをさらに包含する、請求項２４に記載の方法。
【請求項３０】
前記機器が、前記リクエスト者から第２のリクエストを受け取ることと、
前記機器が、該第２のリクエストに応答して前記コンピューターシステムへの前記リクエストを生成することと
を包含する、請求項２３に記載の方法。
【請求項３１】
前記第２のリクエストが、前記一つ以上のデータベースに適合された一つ以上の式を含む一つ以上のスタイルシートを含む、請求項３０に記載の方法。
【請求項３２】
前記一つ以上のデータベースの少なくとも一部のコンテンツは一つ以上のマークアップ言語オブジェクトを含み、前記結果が少なくとも一つのマークアップ言語オブジェクトを含む、請求項２３に記載の方法。
【請求項３３】
前記第２のフォーマットが前記ＤＢＭＳによってサポートされているフォーマットを包む、請求項３２に記載の方法。
【請求項３４】
複数のサーバと、
該複数のサーバに結合されている機器であって、該機器が、該複数のサーバの第１のサーバから第１のアウトプットデータを受け取るように結合され、該第１のアウトプットデータが、該複数のサーバの第２のサーバに第１のインプットデータとして供給され、該第１のアウトプットデータが、該第１のインプットデータのために該第２のサーバによって使用される第２のフォーマットと異なる第１のフォーマットである、機器と
を備える装置であって、
該機器は、該第１のアウトプットデータを第１のマークアップ言語フォーマットに変換し、該第１のマークアップ言語フォーマットを該第２のフォーマットに変換するように構成されている、装置。
【請求項３５】
前記機器が、前記第１のインプットデータを前記第２のフォーマットにおいて前記第２のサーバへ送るように構成されている、請求項３４に記載の装置。
【請求項３６】
前記第１のアウトプットデータが複数の個々のデータアイテムを含み、前記機器が前記複数のデータアイテムの第１のデータアイテムを一つ以上のマークアップ言語構造に変換するように構成され、該機器が、該複数のデータアイテムの少なくとも一部をマークアップ言語構造に変換する前に、前記第１のデータアイテムに対応する該マークアップ言語構造を前記第２のフォーマットに変換するように構成されている、請求項３４に記載の装置。
【請求項３７】
前記機器が、前記第１のフォーマットから前記マークアップ言語フォーマットへの変換を定義する第１のスタイルシートと、該マークアップ言語フォーマットから前記第２のフォーマットへの変換を定義する第２のスタイルシートとを受け取るように結合されている、請求項３４に記載の装置。
【請求項３８】
第１のサーバおよび第２のサーバを含む複数のサーバを含む装置内において該複数のサーバに結合された機器であって、該第１のサーバは該第２のサーバへの第１のインプットデータとして供給される第１のアウトプットデータを生成するように構成され、該機器は該第１のアウトプットデータを受け取るように結合され、該第１のアウトプットデータが、該第１のインプットデータのために該第２のサーバによって使用される第２のフォーマットとは異なる第１のフォーマットであり、該機器が、該第１のアウトプットデータを第１のマークアップ言語フォーマットに変換し、該第１のマークアップ言語フォーマットを該第２のフォーマットに変換するように構成されている、機器。
【請求項３９】
前記機器が、前記第１のインプットデータを前記第２のフォーマットにおいて前記第２のサーバへ送るように構成されている、請求項３８に記載の機器。
【請求項４０】
前記第１のアウトプットデータが複数の個々のデータアイテムを含み、前記機器が、前記複数のデータアイテムの第１のデータアイテムを一つ以上のマークアップ言語構造に変換するように構成され、該機器が、前記複数のデータアイテムの少なくとも一部をマークアップ言語構造に変換する前に、前記第１のデータアイテムに対応する前記マークアップ言語構造を前記第２のフォーマットに変換するように構成されている、請求項３８に記載の機器。
【請求項４１】
前記機器が、前記第１のフォーマットから前記マークアップ言語フォーマットへの変換を定義する第１のスタイルシートと、該マークアップ言語フォーマットから前記第２のフォーマットへの変換を定義する第２のスタイルシートとを受け取るように結合されている、請求項３８に記載の機器。
【請求項４２】
複数のサーバの第１のサーバから、該複数のサーバの第２のサーバへの第１のインプットデータとして供給される第１のアウトプットデータを受け取ることと、
該第１のアウトプットデータを第１のフォーマットからマークアップ言語フォーマットに変換し、該マークアップ言語フォーマットから該第２のサーバによって使用される第２のフォーマットに変換することと
を包含する、方法。
【請求項４３】
前記第１のインプットデータとして前記第２のフォーマットを前記第２のサーバへ送ることを包含する、請求項４２に記載の方法。
【請求項４４】
前記第１のアウトプットデータは複数の個々のデータアイテムを含み、前記変換することは、
前記複数のデータアイテムの第１のデータアイテムを一つ以上のマークアップ言語構造に変換することと、
前記複数のデータアイテムの少なくとも一部をマークアップ言語構造に変換する前に、該第１のデータアイテムに対応する該マークアップ言語構造を該第２のフォーマットに変換することと
を包含する、請求項４２に記載の方法。
【請求項４５】
前記第１のフォーマットから前記マークアップ言語フォーマットへの変換を定義する第１のスタイルシートと、該マークアップ言語フォーマットから前記第２のフォーマットへの変換を定義する第２のスタイルシートとを受け取ることをさらに包含する、請求項４２に記載の方法。